(57)【要約】      （修正有）【課題】簡単な機構で非常時のディスクの排出を可能にする。【解決手段】上昇／下降してディスクをターンテーブルにチャッキング／アンチャッキングさせ、光ピックアップを具備してディスクにデータを記録／再生するメインユニットと、ギア３０５によって駆動源と連結されるラック３５５を具備し、直線移動しながらメインユニットを上昇／下降させるメインスライダ３５０と、光機器装置の外部から挿入されるピン７００により、ギアとラックとの連結を解除し、メインスライダを手動で作動させる解除手段６００とを備える。【選択図】図９
2007220276.tif 000002
【特許請求の範囲】
【請求項１】
上昇／下降してディスクをターンテーブルにチャッキング／アンチャッキングさせ、光ピックアップを具備して前記ディスクにデータを記録／再生するメインユニットと；
ギアによって駆動源と連結されるラックを具備し、直線移動しながら前記メインユニットを上昇／下降させるメインスライダと；
光機器装置の外部から挿入されるピンにより、前記ギアと前記ラックとの連結を解除し、前記メインスライダを手動で作動させる解除手段と；
を備えることを特徴とする、光機器装置。
【請求項２】
前記解除手段は、
ヒンジを基準として、傾斜面と前記傾斜面の反対側にギア移動部を具備する解除レバーを備え、前記ピンによって、前記傾斜面が押されて、前記解除レバーが前記ヒンジを中心に回動し、前記ギア移動部が前記ギアを前記ラックから離脱させることを特徴とする、請求項１に記載の光機器装置。
【請求項３】
前記解除手段は、
前記ギアに弾性力を加える弾性部材をさらに備え、前記ピンが除去された場合には、前記弾性力により、前記解除レバーおよび前記ギアが前記ピンの挿入前位置に復帰することを特徴とする、請求項２に記載の光機器装置。
【請求項４】
前記ギアの先端部は、面取りされていることを特徴とする、請求項３に記載の光機器装置。
【請求項５】
スロットと；
前記メインスライダによって動作し、前記スロットを介して挿入されたディスクをガイドすることにより、前記ディスクを前記ターンテーブルと同中心となる位置にローディングさせ、前記ローディングされたディスクを前記スロットの方向へとアンローディングさせるレバー部材と；
をさらに備え、
前記ピンによって、前記ラックの連結が解除され、前記メインスライダが手動で移動する場合には、前記ディスクは、アンチャッキングされ、前記スロットの方向へとアンローディングされることを特徴とする、請求項１に記載の光機器装置。
【発明の詳細な説明】
【技術分野】
【０００１】
本発明は、光機器装置に係り、特に、ディスクを自動的にローディング／アンローディングさせられるスロットイン方式の光機器装置に関する。
【背景技術】
【０００２】
情報記録媒体のうち光ディスク（以下、「ディスク」という。）は、関連技術の発展により情報保存容量が急増しており、その価格も比較的廉価であって、非常に広範囲に使われている。ディスクは、情報保存容量により、例えば、コンパクトディスク（ＣＤ：Compact  Disk）、デジタル多機能ディスク（ＤＶＤ：Digital  Versatile  Disk）に区分される。記録、消去および再生の可能なディスクとしては、６５０ＭＢ  ＣＤ−Ｒ、ＣＤ−ＲＷ、４．７ＧＢ  ＤＶＤ−Ｒ、ＤＶＤ＋Ｒ、ＤＶＤ−ＲＷ、ＤＶＤ＋ＲＷなどが挙げられる。さらに、記録容量が２０ＧＢ以上であるＨＤ−ＤＶＤおよびブルーレイディスクも開発されている。
【０００３】
このような中、ノート型パソコンやカムコーダのような携帯用電子装置の情報記録媒体として、光機器装置のディスクを利用しようとする試みがある。しかし、従来の光機器装置をカムコーダのような携帯用電子装置に適用するには、様々な問題がある。すなわち、携帯用としては、装置の大きさおよび厚さがあまりにも大きく、また、従来のスリム型光機器装置を適用すれば、ディスクの挿入または取り出しが不便であるという点である。したがって、ディスクをカセットやトレイなどに載置してローディングさせる従来の光機器装置に比べ、光機器装置の一側面にディスク幅ほど形成された細長いスロットを介し、ディスクを自動的に挿入または取り出すことのできるスロットイン方式の光機器装置が望ましい。
【０００４】
【特許文献１】韓国特許公開２００４−００８６１７５号
【特許文献２】韓国特許公開１９９８−０６０６８０号
【特許文献３】特開２００５−０８５４５１号公報
【特許文献４】特開２００５−２０３０３３号公報
【特許文献５】特開２００５−１９０５５４号公報
【特許文献６】特開２００５−１９０５５５号公報
【発明の開示】
【発明が解決しようとする課題】
【０００５】
しかしながら、光機器装置では、例えば、光機器装置に故障が発生した場合、または、光機器装置の装着されたコンピュータの運用体制に問題が発生した場合、または、光機器装置の装着されたノート型パソコンのバッテリーが全部消耗した場合、ディスクを手動でイジェクトさせられねばならない。特に、ディスクが自動的にローディングおよびアンローディングされるスロットイン方式の光機器では、非常時に、ディスクを手動でイジェクトさせられる構造がさらに必要である。しかしながら、現在まで開発されたスロットイン方式の光機器装置には、ディスクを手動でイジェクトさせられる手段が設けられていない。
【０００６】
そこで、本発明は、上記問題に鑑みてなされたものであり、本発明の目的とするところは、スロットイン方式の光機器装置において、非常時にディスクを手動でイジェクトさせることが可能なイジェクト手段を備えた、新規かつ改良された光機器装置を提供することにある。
【課題を解決するための手段】
【０００７】
上記目的を達成するために、本発明のある観点によれば、上昇／下降してディスクをターンテーブルにチャッキング／アンチャッキングさせ、光ピックアップを具備して上記ディスクにデータを記録／再生するメインユニットと、ギアによって駆動源と連結されるラックを具備し、直線移動しながら上記メインユニットを上昇／下降させるメインスライダと、光機器装置の外部から挿入されるピンにより、上記ギアと上記ラックとの連結を解除し、上記メインスライダを手動で作動させる解除手段とを備える光機器装置が提供される。ここで、「手動で作動」とは、例えば、上記駆動源以外の動力源によりメインスライダが動作することをいう。
【０００８】
また、上記解除手段は、ヒンジを基準として、傾斜面と上記傾斜面の反対側にギア移動部を具備する解除レバーを備え、上記ピンによって、上記傾斜面が押されて、上記解除レバーが上記ヒンジを中心に回動し、上記ギア移動部が上記ギアを上記ラックから離脱させるとしてもよい。
【０００９】
また、上記解除手段は、上記ギアに弾性力を加える弾性部材をさらに備え、上記ピンが除去された場合には、上記弾性力により、上記解除レバーおよび上記ギアが上記ピンの挿入前位置に復帰するとしてもよい。
【００１０】
また、上記ギアの先端部は、面取りされているとしてもよい。
【００１１】
また、スロットと、上記メインスライダによって動作し、上記スロットを介して挿入されたディスクをガイドすることにより、上記ディスクを上記ターンテーブルと同中心となる位置にローディングさせ、上記ローディングされたディスクを上記スロットの方向へとアンローディングさせるレバー部材とをさらに備え、上記ピンによって、上記ラックの連結が解除され、上記メインスライダが手動で移動する場合には、上記ディスクは、アンチャッキングされ、上記スロットの方向へとアンローディングされるとしてもよい。
【発明の効果】
【００１２】
本発明によれば、スロットイン方式の光機器装置において、非常時にディスクを手動でイジェクトさせることができる。
【発明を実施するための最良の形態】
【００１３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１４】
図１は、本発明の実施形態に係る光機器装置の外観を示す斜視図である。本発明の実施形態に係る光機器装置の前面部には、ベゼル２０が設けられる。ベゼル２０にはスロット１０が設けられ、スロット１０は、ディスクが挿入および取り出しされる通路となる。また、ベゼル２０にはイジェクトボタン３０が設けられ、イジェクトボタン３０が押されると、光機器装置にローディングされていたディスクがアンローディングされる。
【００１５】
光機器装置にディスクがローディングされたままで電源がオフになった場合は、非常用イジェクトホール４０にピン７００（図９参照）を挿入し、メインスライダ３５０（図７参照）を移動させることにより、ディスクをアンローディングさせる。
【００１６】
本発明の実施形態に係る光機器装置は、直径が実質的に１２ｃｍほどに該当するディスク（以下、「大径ディスク」という。）はもとより、直径が実質的に８ｃｍほどに該当するディスク（以下、「小径ディスク」という）のローディング／アンローディングが可能である。ディスクにおいては、高密度化の趨勢により、小径ディスクの活用頻度が高まっている。なお、ディスクの標準規格が変わることにより、大径ディスクと小径ディスクとの直径は多様に変動されうることは、言うまでもない。また、ノート型パソコンのような携帯用情報機器に装着される光機器装置はスリム型であって、その全体厚が許容値（例えば、設計上定められる値などをいう。）以下に制限される場合が多い。ここで、上記許容値は、例えば、１２．７ｍｍであるが、光機器装置の標準規格の変化により変わりうることは言うまでもない。本発明の実施形態に係るレバー部材２００（後述する）および駆動手段（後述する）は、そのサイズをコンパクトにすることができ、また部品数を少なくすることができるので、光機器装置のスリム化に有利である。
【００１７】
図２は、本発明の実施形態に係る光機器装置において、大径ディスクＤＬがガイドレバー２１０およびローディングレバー２５０を押し始める状態を示す斜視図である。図２を参照すると、メインユニット１００、レバー部材２００が図示されている。
【００１８】
メインユニット１００は、ディスクを載置させるターンテーブル１１０と、ターンテーブル１１０を回転させるスピンドルモータ１２０と、ディスクに光を照射してデータを記録し、および／または、データを読み取る光ピックアップ１３０と、光ピックアップ１３０をディスクのトラックキング方向に移動させるフィーディングモータ（図示せず）とを具備する。
【００１９】
レバー部材２００は、スロット１０を介して挿入されたディスクをガイドすることにより、ディスクをターンテーブル１１０と同中心になる位置にローディングさせた後でチャッキングさせ、また、ディスクをアンチャッキングさせた後でその逆方向にアンローディングさせる。駆動手段は、駆動源３００と連結されるメインスライダ３５０（図７参照）を具備し、レバー部材２００を動作させてディスクをローディング／アンローディングさせ、メインユニット１００を上昇／下降（ここで、「上昇」とは、ｚ軸における正の方向に移動することを意味し、また「下降」とは、ｚ軸における負の方向に移動することを意味する。）させてディスクをターンテーブル１１０にチャッキング／アンチャッキングさせる。
【００２０】
レバー部材２００は、イジェクトレバー２３０、ガイドレバー２１０、およびローディングレバー２５０を具備する。イジェクトレバー２３０は、ディスクにアンローディング方向（ｙ軸の負方向）に弾性力を作用させることにより、ディスクのアンローディングに必要な力を提供する。ガイドレバー２１０は、ディスクのローディング方向（ｙ軸の正方向）に沿って一直線状に延びるディスクガイド面２１９を形成する。ガイドレバー２１０は、四節リンク構造であって、ディスクのローディング方向に対して実質的に平行した状態を維持して動作される。ディスクの安定したローディング／アンローディング性能を確保するためである。ガイドレバー２１０、第１補助リンク２１１、および第２補助リンク２１２は、平行四辺形をなして移動する。
【００２１】
第１補助リンク２１１の一端部は、光機器装置側に設けられた第１補助リンクヒンジ２１３を中心に回動し、その他端部は、ガイドレバー２１０側に設けられたガイドレバー第１ヒンジ２１５にピボット結合される。同様に、第２補助リンク２１２の一端部は、光機器装置側に設けられた第２補助リンクヒンジ２１４を中心に回動し、その他端部は、ガイドレバー２１０側に設けられたガイドレバー第２ヒンジ２１６にピボット結合される。ここで、第１補助リンク２１１と第２補助リンク２１２との長さは、同じであることが望ましいが、本発明の実施形態が、第１補助リンク２１１と第２補助リンク２１２との長さが等しいことに限らないことは、言うまでもない。
【００２２】
ローディングレバー２５０は、スロット１０に隣接した位置に設けられ、ディスク接触部２５５がディスクを押してローディングさせ、ディスクのアンローディング時、その逆方向に移動しつつ、ディスクをスロット１０方向にガイドする。多数のカムによって作動するガイドレバー２１０およびローディングレバー２５０は、正確な位置制御を行うために、一方向に付勢されることが望ましい。本発明に係る一の実施形態では、ディスクに接触される第１補助リンク２１１に対して、ガイドレバースプリング２１８（図７参照）の弾性力が作用するので、ガイドレバー２１０は、ディスクに接触される方向に付勢される。
【００２３】
図３は、本発明の実施形態に係る光機器装置において、大径ディスクＤＬがガイドレバー２１０およびローディングレバー２５０を移動させた後、イジェクトレバー２３０に接触開始する状態を示す斜視図である。大径ディスクＤＬを挿入する場合、ガイドレバー２１０が移動してローディング空間を確保する。ディスクは、続けて移動しつつイジェクトレバー２３０を押し始める。イジェクトレバー２３０端部のディスク接触部２３５がディスクをガイドする。
【００２４】
図４は、本発明の実施形態に係る光機器装置において、大径ディスクＤＬがローディングされた後、チャッキングされる前の状態を示す斜視図である。駆動手段は、ターンテーブル１１０と同中心になる位置にディスクがローディングされた場合、メインユニット１００を上昇させてディスクをターンテーブル１１０にチャッキングさせる。
【００２５】
図５は、図４に図示されたディスクがターンテーブル１１０にチャッキング完了し、レバー部材２００が隔離（逃避）した状態を示す斜視図である。ディスクのチャッキングが完了すると、ディスクの回転のために、レバー部材２００がディスクの外周から隔離される。駆動手段は、レバー部材２００をディスクの側面から隔離させる。
【００２６】
図６は、本発明の実施形態に係る光機器装置において、小径ディスクＤＳがターンテーブル１１０にチャッキング完了し、レバー部材２００が隔離された状態を示す斜視図である。ディスクの直径により、レバー部材２００は、互いに異なる軌跡を有するように動作する。図６と図５とを比較すると、小径ディスクＤＳの場合、ガイドレバー２１０は、待機状態およびローディング状態において、ロッキング状態を維持しつつ、チャッキング完了時にディスクの側面から隔離される。ここで、ローディングレバー２５０の回動量は、小径ディスクＤＳの場合の方が大径ディスクＤＬの場合よりもさらに大きくなる。また、イジェクトレバー２３０の移動量は、小径ディスクＤＳの場合の方が大径ディスクＤＬの場合よりもさらに小さくなる。
【００２７】
図５および図６を共に参照すると、シャッタ４４０がスロット１０を遮断するために、上昇した状態が図示されている。ディスクがローディングされた状態で、スロット１０に他のディスクが挿入された場合、レバー部材２００などが破損する恐れがある。上記破損を防止するため、シャッタ４４０は、ディスクがローディングされた状態で、スロット１０を遮断する位置に上昇し、ディスクがアンローディングされた状態で、スロット１０を開放する位置に下降する。ここで、シャッタ４４０は、例えば、メインスライダ３５０（図７参照）によって動作されることが望ましい。なお、メインスライダ３５０がシャッタ４４０を動作させる詳細な構造については、多様な実施形態が可能であり、図示していない。
【００２８】
図７は、本発明の実施形態に係るロッキング手段およびレバー部材２００（図２参照）がロッキングされた状態を示す背面図である。ロッキング手段は、待機状態で、ガイドレバー２１０およびローディングレバー２５０の動作をロッキングさせる。また、ロッキング手段は、スロット１０にディスクが手動で挿入されるとき、ガイドレバー２１０およびローディングレバー２５０がいずれも押される場合に限り、上記ロッキングを解除する。このとき、ガイドレバー２１０およびローディングレバー２５０の離隔距離ΔＬは、小径ディスクＤＳの直径より大きく、かつ大径ディスクＤＬの直径より小さなことが望ましい。なお、本発明の実施形態に係るガイドレバー２１０およびローディングレバー２５０の離隔距離ΔＬが、上記に限られないことは、言うまでもない。
【００２９】
メインスライダ３５０は、ワームギア３０１、ギア列３０５、およびラック３５５によって駆動源３００と連結され、直線移動しつつレバー部材２００を動作させる。メインスライダ３５０は、第１ローディングカム３６１と第２ローディングカム３６２とを具備する。第１ローディングカム３６１は、ローディングレバー２５０を動作させることにより、大径ディスクＤＬを移動させることができる。第２ローディングカム３６２は、ローディングレバー２５０を動作させることにより、小径ディスクＤＳを移動させることができる。待機状態において、スロット１０を介してディスクが手動で挿入されるとき、ディスクに押されて移動するローディングレバー２５０の移動量差により、第１ローディングカム３６１および第２ローディングカム３６２のうち、いずれか一つが選択される。ローディングレバー２５０には、挿入されるディスクの直径により、第１ローディングカム３６１および第２ローディングカム３６２のうち、いずれか一つと連結されるローディングカムボス２５６が設けられる。ローディングレバー２５０は、第１ローディングレバー２５１および第２ローディングレバー２５２を有する。第１ローディングレバー２５１は、ローディングカムボス２５６により、その一端部がメインスライダ３５０と連結され、第１ローディングレバーヒンジ２５３を中心に回動する。第２ローディングレバー２５２は、第２ローディングレバーヒンジ２５４を中心に回動し、その一端部が第１ローディングレバー２５１とピボット結合され、他端部にディスク接触部２５５を具備する。
【００３０】
ロッキング手段は、第１リンク４１０および第２リンク４２０を有する。第１リンク４１０は第１カム４１１を具備し、第１カム４１１の移動により、第１ヒンジ４１２を中心に回動する。第１カム４１１は、ガイドレバー２１０に設けられた第１ボス２２０に連結される。第２リンク４２０は第２カム４２１を具備し、第２カム４２１の移動により、第２ヒンジ４２２を中心に回動する。第２カム４２１は、ローディングレバー２５０に設けられた第２ボス２６０に連結される。第１リンク４１０および第２リンク４２０は、第１ヒンジ４１２および第２ヒンジ４２２を基準に、第１カム４１１および第２カム４２１の反対側が互いにピボット結合される。スイッチ４５０は、ガイドレバー２１０の動作により、オン／オフされてディスクの直径を感知する。カム３５１は、サブスライダ（図示せず）を作動させ、ディスクがチャッキング完了した後、ガイドレバー２１０およびイジェクトレバー２３０をディスクの側面から隔離させる。
【００３１】
ディスクのアンローディングおよびアンチャッキングは、図２から図５に至る順序の逆になされる。光機器装置の外装をなすフレーム５００には、アンチャッキングロッド５０が設けられる。メインユニット１００には、アンチャッキング時に、アンチャッキングロッド５０をディスク側に露出させるアンチャッキングロッドホール６０が設けられる。図８に図示されているように、メインユニット１００の側面には、メインユニットボス１０９が設けられ、メインスライダ３５０の側面には、メインユニットボス１０９と連結されるメインユニットカム３５９が設けられる。したがって、メインスライダ３５０は、直線移動しつつ、メインユニット１００を上昇および下降させることができる。メインユニット１００が下降すると、アンチャッキングロッド５０がアンチャッキングロッドホール６０に突出してディスクを押してアンチャッキングさせる。上述したように、本発明の実施形態に係るメインスライダ３５０は、メインユニット１００を上昇または下降させることにより、ディスクをアンチャッキングさせたり、または、特にスロットイン方式の光機器装置で、レバー部材２００を移動させることにより、ディスクのアンローディングまで可能であることが望ましい。
【００３２】
図９は、本発明の実施形態に係る解除手段を示す斜視図である。図１０は、本発明の実施形態において、ピン７００挿入前の位置における解除レバー６００を示す側面図である。図１１は、本発明の実施形態において、ピン７００挿入のより、ギアおよびラック３５５の結合が解除された状態を示す側面図である。図９〜図１１を共に参照すると、解除手段は、解除レバー６００を具備する。解除レバー６００は、光機器装置の外部からピン７００を非常用イジェクトホール４０（図１参照）に挿入することにより、ギアとラック３５５との連結を解除し、メインスライダ３５０を移動させる。駆動源３００は、ワームギア３０１とギア列３０５とによってラック３５５と連結される。ギア列３０５は、ワームギア３０１に噛合する第１ギア３０５ａと、ラック３５５に噛合する第３ギア３０５ｃと、第１ギア３０５ａおよび第３ギア３０５ｃを連結する第２ギア３０５ｂとを具備する。解除手段により、ラック３５５と噛合／離脱するギアは、ギア列３０５に備わった第１ギア３０５ａ、第２ギア３０５ｂ、および第３ギア３０５ｃのうち、いずれであってもよい。併せて、ギア列３０５には、さらに多数のギアが設けられてもよい。以下では、説明の便宜上、第３ギア３０５ｃが噛合／離脱するとして説明する。
【００３３】
第３ギア３０５ｃの内側には、ギアベアリング３０６が設けられ、光機器装置のフレーム５００に設けられたギアボス３０８に回転自在に挿入される。フレーム５００と第３ギア３０５ｃとの間には、弾性部材３０７が介在し、ラック３５５に噛合される方向の弾性力を第３ギア３０５ｃに作用させる。解除レバー６００は、ヒンジ６２０を基準に、傾斜面６１０とその反対側にギア移動部６３０を具備する。非常用イジェクトホール４０（図１参照）を介して挿入されるピン７００によって傾斜面６１０が押され、解除レバー６００がヒンジ６２０を中心に回動する。そして、ギア移動部６３０が第３ギア３０５ｃをラック３５５から離脱させる。ピン７００が除去された場合には、弾性部材３０７の弾性力により、解除レバー６００および第３ギア３０５ｃがピン７００が挿入される前の位置に復帰する。ここで、第３ギア３０５ｃの先端部３０９は面取りされ、ラック３５５との噛合が容易になされることが望ましい。
【００３４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３５】
本発明に係る解除手段を含む光機器装置は、例えば、情報保存関連の技術分野に効果的に適用可能である。
【図面の簡単な説明】
【００３６】
【図１】本発明の実施形態に係る光機器装置の外観を示す斜視図である。
【図２】本発明の実施形態に係る光機器装置において、大径ディスクがガイドレバーおよびローディングレバーを押し始める状態を示す斜視図である。
【図３】本発明の実施形態に係る光機器装置において、大径ディスクがガイドレバーおよびローディングレバーを移動させた後、イジェクトレバーに接触開始する状態を示す斜視図である。
【図４】本発明の実施形態に係る光機器装置において、大径ディスクがローディングされた後、チャッキングされる前の状態を示す斜視図である。
【図５】図４に図示された大径ディスクがターンテーブルにチャッキング完了し、レバー部材が逃避した状態を示す斜視図である。
【図６】本発明の実施形態に係る光機器装置において、小径ディスクがターンテーブルにチャッキング完了し、レバー部材が逃避した状態を示す斜視図である。
【図７】本発明の実施形態に係るロッキング手段およびレバー部材がロッキングされた状態を示す背面図である。
【図８】本発明の実施形態に係るメインユニットが下降しつつ、ディスクがアンチャッキングされる状態を示す側面図である。
【図９】本発明の実施形態に係る解除手段を示す斜視図である。
【図１０】本発明の実施形態において、ピン挿入前の位置における解除レバーを示す側面図である。
【図１１】本発明の実施形態において、ピンの挿入のより、ギアおよびラックの結合が解除された状態を示す側面図である。
【符号の説明】
【００３７】
１０      スロット
２０      ベゼル
３０      イジェクトボタン
４０      イジェクトホール
５０      アンチャッキングロッド
６０      アンチャッキングロッドホール
１００    メインユニット
１０９    メインユニットボス
１１０    ターンテーブル
１２０    スピンドルモータ
１３０    光ピックアップ
２００    レバー部材
２１０    ガイドレバー
２１１    第１補助リンク
２１２    第２補助リンク
２１３    第１補助リンクヒンジ
２１４    第２補助リンクヒンジ
２１５    ガイドレバー第１ヒンジ
２１６    ガイドレバー第２ヒンジ
２１８    ガイドレバースプリング
２１９    ディスクガイド面
２２０    第１ボス
２３０    イジェクトレバー
２３５    イジェクトレバーのディスク接触部
２５０    ローディングレバー
２５１    第１ローディングレバー
２５２    第２ローディングレバー
２５３    第１ローディングレバーヒンジ
２５４    第２ローディングレバーヒンジ
２５５    ローディングレバーのディスク接触部
２５６    ローディングカムボス
２６０    第２ボス
３００    駆動源
３０１    ワームギア
３０５    ギア列
３０５ａ  第１ギア
３０５ｂ  第２ギア
３０５ｃ  第３ギア
３０６    ギアベアリング
３０７    弾性部材
３０８    ギアボス
３０９    第３ギアの先端部
３５０    メインスライダ
３５５    ラック
３５９    メインユニットカム
３５１    カム
３６１    第１ローディングカム
３６２    第２ローディングカム
４１０    第１リンク
４１１    第１カム
４１２    第１ヒンジ
４２０    第２リンク
４２１    第２カム
４２２    第２ヒンジ
４４０    シャッタ
４５０    ガイドレバースイッチ
５００    フレーム
６００    解除レバー
６１０    傾斜面
６２０    ヒンジ
６３０    ギア移動部
７００    ピン
ＤＬ      大径ディスク
ＤＳ      小径ディスク
ΔＬ      ガイドレバーとローディングレバーとの離隔距離
【図１】
2007220276.tif 000003
【図２】
2007220276.tif 000004
【図３】
2007220276.tif 000005
【図４】
2007220276.tif 000006
【図５】
2007220276.tif 000007
【図６】
2007220276.tif 000008
【図７】
2007220276.tif 000009
【図８】
2007220276.tif 000010
【図９】
2007220276.tif 000011
【図１０】
2007220276.tif 000012
【図１１】
2007220276.tif 000013